【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第１受入口と、
常には前記第１受入口よりも遊技球の受け入れが困難な第２受入口と、
少なくとも前記第２受入口への遊技球の受け入れに基づいて遊技球が付与される遊技球付与手段と、
前記第１受入口および前記第２受入口のうちいずれかへの遊技球の受け入れに基づいて抽選情報を取得し、遊技球の受け入れ先の別に蓄積しうる第１抽選情報蓄積手段および第２抽選情報蓄積手段と、
所定条件の成立に基づいて、常には前記第１抽選情報蓄積手段により蓄積されている一の抽選情報についての抽選処理または当該抽選処理の結果の導出を許容し、当該第１抽選情報蓄積手段により前記抽選情報が蓄積されていない場合に限り、前記第２抽選情報蓄積手段により蓄積されている一の抽選情報についての抽選処理または当該抽選処理の結果の導出を許容しうる抽選制御手段と、
前記抽選制御手段により許容された抽選情報について、当該抽選情報の蓄積先にかかわらず、常には第１の確率で当たりとなりうる抽選処理を行う抽選手段と、
前記抽選手段による抽選処理の結果に基づいて、遊技者に有利な特典遊技を実行しうる特典遊技実行手段と、
特別条件が成立したことに基づいて、前記第１の確率よりも当選確率が高い第２の確率で当たりとなりうる抽選処理が前記抽選手段により行われるとともに、当該第２の確率で当たりとなりうる抽選処理の機会が促進されるように、前記第２受入口への遊技球の受け入れが前記第１受入口よりも容易化される特別遊技状態に制御する特別遊技状態制御手段と、
特定条件が成立したことに基づいて、前記第１の確率で当たりとなりうる抽選処理が前記抽選手段により行われるものの、所定の期間に限って、遊技球の減少が抑制されつつ前記抽選手段による抽選処理の機会が付与されるように、前記第２受入口への遊技球の受け入れが前記第１受入口よりも容易化される有利遊技状態に制御する有利遊技状態制御手段と、
を備え、
前記抽選制御手段は、
前記特別遊技状態に制御されている場合には、
前記第２抽選情報蓄積手段により抽選情報が蓄積されている限り、当該第２抽選情報蓄積手段により蓄積されている一の抽選情報についての抽選処理または当該抽選処理の結果の導出を許容し、
前記有利遊技状態に制御されている場合には、
前記第１抽選情報蓄積手段により抽選情報が蓄積されている限り、当該第１抽選情報蓄積手段により蓄積されている一の抽選情報についての抽選処理または当該抽選処理の結果の導出を許容する
ことを特徴とする遊技機。
【請求項２】
遊技領域を流下する遊技球を受け入れ可能な第１受入口と、
前記第１受入口への遊技球の受け入れに基づいて抽選情報を取得し、蓄積しうる第１抽選情報蓄積手段と、
常には前記第１受入口よりも遊技球の受け入れが困難な第２受入口と、
前記第２受入口への遊技球の受け入れに基づいて抽選情報を取得し、蓄積しうる第２抽選情報蓄積手段と、
所定条件の成立に基づいて、前記第２受入口よりも遊技球の受け入れ頻度が高い前記第１受入口への遊技球の受け入れに基づいて取得された抽選情報が蓄積されている限り、常には当該蓄積されている抽選情報についての蓄積を解除する蓄積解除手段と、
前記蓄積解除手段により前記抽選情報が解除されたことに基づいて、当該解除された抽選情報が前記第１抽選情報蓄積手段および前記第２抽選情報蓄積手段のうちいずれに蓄積されていたかにかかわらず、予め定められた第１の確率または当該第１の確率よりも当選確率が高められた第２の確率にて抽選処理を行いうる抽選手段と、
前記抽選処理の結果が当たりであることに基づいて、遊技者に有利な特典遊技を付与する特典遊技付与手段と、
を備え、
前記特典遊技が付与されたのちの遊技状態が、
前記第２の確率にて前記抽選処理が行われ、前記第２受入口への遊技球の受け入れが前記第１受入口よりも容易化されるとともに、遊技球の受け入れが容易化された当該第２受入口への遊技球の受け入れに基づいて取得された抽選情報が蓄積されている限り、前記第１抽選情報蓄積手段により蓄積されている抽選情報についての蓄積が維持される特別遊技状態に制御する特別遊技状態制御手段と、
前記第１の確率にて前記抽選処理が行われるとともに、所定の期間に限って前記第２受入口への遊技球の受け入れが前記第１受入口よりも容易化される有利遊技状態に制御する有利遊技状態制御手段と、
のいずれかによって遊技状態が制御され、
前記蓄積解除手段は、
前記有利遊技状態に制御されているとき、前記第１受入口への遊技球の受け入れに基づいて取得された抽選情報が蓄積されている限り、
前記第２受入口への遊技球の受け入れが当該第１受入口よりも容易化されるにもかかわらず、当該第２受入口への遊技球の受け入れに基づいて取得された抽選情報についての蓄積を維持しつつ、前記第１抽選情報蓄積手段により蓄積されている抽選情報についての前記抽選処理が促進されるよう蓄積を解除する
ことを特徴とする遊技機である。
【請求項３】
前記抽選手段は、
前記第１受入口または前記第２受入口への遊技球の受け入れに基づいて乱数を取得し、該取得した乱数に基づいて、前記抽選処理を行う
請求項２に記載の遊技機。
【手続補正２】
【補正対象書類名】明細書
【補正対象項目名】０００８
【補正方法】変更
【補正の内容】
【０００８】
本発明の遊技機は、遊技領域を流下する遊技球を受け入れ可能な第１受入口と、常には前記第１受入口よりも遊技球の受け入れが困難な第２受入口と、少なくとも前記第２受入口への遊技球の受け入れに基づいて遊技球が付与される遊技球付与手段と、前記第１受入口および前記第２受入口のうちいずれかへの遊技球の受け入れに基づいて抽選情報を取得し、遊技球の受け入れ先の別に蓄積しうる第１抽選情報蓄積手段および第２抽選情報蓄積手段と、所定条件の成立に基づいて、常には前記第１抽選情報蓄積手段により蓄積されている一の抽選情報についての抽選処理または当該抽選処理の結果の導出を許容し、当該第１抽選情報蓄積手段により前記抽選情報が蓄積されていない場合に限り、前記第２抽選情報蓄積手段により蓄積されている一の抽選情報についての抽選処理または当該抽選処理の結果の導出を許容しうる抽選制御手段と、前記抽選制御手段により許容された抽選情報について、当該抽選情報の蓄積先にかかわらず、常には第１の確率で当たりとなりうる抽選処理を行う抽選手段と、前記抽選手段による抽選処理の結果に基づいて、遊技者に有利な特典遊技を実行しうる特典遊技実行手段と、特別条件が成立したことに基づいて、前記第１の確率よりも当選確率が高い第２の確率で当たりとなりうる抽選処理が前記抽選手段により行われるとともに、当該第２の確率で当たりとなりうる抽選処理の機会が促進されるように、前記第２受入口への遊技球の受け入れが前記第１受入口よりも容易化される特別遊技状態に制御する特別遊技状態制御手段と、特定条件が成立したことに基づいて、前記第１の確率で当たりとなりうる抽選処理が前記抽選手段により行われるものの、所定の期間に限って、遊技球の減少が抑制されつつ前記抽選手段による抽選処理の機会が付与されるように、前記第２受入口への遊技球の受け入れが前記第１受入口よりも容易化される有利遊技状態に制御する有利遊技状態制御手段と、を備え、前記抽選制御手段は、前記特別遊技状態に制御されている場合には、前記第２抽選情報蓄積手段により抽選情報が蓄積されている限り、当該第２抽選情報蓄積手段により蓄積されている一の抽選情報についての抽選処理または当該抽選処理の結果の導出を許容し、前記有利遊技状態に制御されている場合には、前記第１抽選情報蓄積手段により抽選情報が蓄積されている限り、当該第１抽選情報蓄積手段により蓄積されている一の抽選情報についての抽選処理または当該抽選処理の結果の導出を許容することを要旨とするものである。